(57)【要約】【課題】  超小型同軸マイクロウェーブコネクタのコンセントを提供して、コンセントに導線を結合した構造をもたせ、線を延長機能を兼ね備えさせること。【解決手段】  絶縁体を接合した金属ケースと、雄端子を接合した当該絶縁体を有し、当該雄端子は水平部および前湾曲部を備え、当該絶縁体は板体の側辺から伸びる突起体を有し、当該板体は孔洞と、当該孔洞から外側に伸びる筒体を備え、当該板体および当該突起体の下辺に当該孔洞と連通した案内溝を備えており、当該雄端子の前湾局部は当該孔洞内に差し込み、当該水平部は当該案内溝内に置き、蓋体は当該案内溝の外側に接合し、当該ケースは接続する被覆片体、接続片体および固定片体を有し、当該被覆片体は別の孔洞を備え、当該別の孔洞の外周に別の筒体を備え、当該別の筒体は当該絶縁体の筒体の外周に接合し、当該被覆片体は当該板体の外側に接合し、当該固定片体は当該突起体の外側に接合すること。【選択図】  図３
0003103794.tif 000002
【実用新案登録請求の範囲】
【請求項１】
絶縁体を接合した金属ケースと、雄端子を接合した当該絶縁体を有し、当該雄端子は水平部および前湾曲部を備え、当該絶縁体は板体の側辺から伸びる突起体を有し、当該板体は孔洞と、当該孔洞から外側に伸びる筒体を備え、当該板体および当該突起体の下辺に当該孔洞と連通した案内溝を備えており、当該雄端子の前湾局部は当該孔洞内に差し込み、当該水平部は当該案内溝内に置き、蓋体は当該案内溝の外側に接合し、当該ケースは接続する被覆片体、接続片体および固定片体を有し、当該被覆片体は別の孔洞を備え、当該別の孔洞の外周に別の筒体を備え、当該別の筒体は当該絶縁体の筒体の外周に接合し、当該被覆片体は当該板体の外側に接合し、当該固定片体は当該突起体の外側に接合することを特徴とする超小型同軸マイクロウェーブコネクタのコンセント。
【請求項２】
前記雄端子はその水平部の後端に後湾曲部を備え、当該後湾曲部は当該突起体の後端の外側に置くことを特徴とする請求項１記載の超小型同軸マイクロウェーブコネクタのコンセント。
【請求項３】
前記前湾曲部はプレス鍛造で成型した中実構造であることを特徴とする請求項１記載の超小型同軸マイクロウェーブコネクタのコンセント。
【請求項４】
前記前湾曲部は吸い込み成型した中空構造であることを特徴とする請求項１記載の超小型同軸マイクロウェーブコネクタのコンセント。
【請求項５】
前記前湾曲部は被覆成型した中空構造であることを特徴とする請求項１記載の超小型同軸マイクロウェーブコネクタのコンセント。
【請求項６】
前記固定片体はその別の側辺に片体を接合することを特徴とする請求項２記載の超小型同軸マイクロウェーブコネクタのコンセント。
【請求項７】
前記前湾曲部は溝孔を備えていることを特徴とする請求項６記載の超小型同軸マイクロウェーブコネクタのコンセント。
【請求項８】
前記後湾曲部は導線が接合され、前記接合片体は当該導線の外周に接合することを特徴とする請求項６記載の超小型同軸マイクロウェーブコネクタのコンセント。
【請求項９】
前記板体の外周は矩形を呈し、当該被覆片体は当該板体の上、下辺および側辺に被覆することを特徴とする請求項１から８のいずれかに記載の超小型同軸マイクロウェーブコネクタのコンセント。
【請求項１０】
前記板体の外周は円形を呈し、当該被覆片体は当該板体の下辺および側周辺に被覆することを特徴とする請求項１から８のいずれかに記載の超小型同軸マイクロウェーブコネクタのコンセント。
【考案の詳細な説明】
【技術分野】
【０００１】
本考案は、コネクタ、とくに超小型同軸マイクロウェーブコネクタのコンセントに関する。
【背景技術】
【０００２】
携帯型の電子製品が軽、薄、短、小に向けて発展するに伴い、信号伝送導線のコネクタも小型化の傾向にある。市場には錫溶接超小型コネクタが出回っているが、当該コネクタのコンセント10（図１を参照）の底部はノートブック型コンピュータ、携帯情報端末（PDA）、携帯電話機などの回路板上に溶接されており、プラグ20（図２を参照）は、コンセント10に差し込むことができ、その別端は信号線で例えば携帯電話機のアンテナに接続して、信号にキーオンしている。当該プラグ20は金属ケース11を備えており、その下端に絶縁体12を接合し、当該絶縁体12はケース11の内部に伸びて中央部分において突出端121を形成し、当該突出端121の内部に雄端子13を接合し、当該雄端子13の下端131は片体状になって絶縁体12およびケース11の外側に伸びており、その上端132は巻かれて管状になっていて、しかも円弧端子133を備えている。当該プラグ20は金属ハウジング21を備えており、当該ハウジング21に絶縁体22を接合し、当該絶縁体22の中空部22に雌端子23を接合し、当該雌端子23は２つの対向した、しかも小さな距離を置いた触片231で構成されている。
【０００３】
当該プラグ20をコンセント10上に差し込むと、プラグ20の雌端子23の２つの触片231はコンセント10の雄端子13の両側にかぶさって、２つの信号端子を導通させ、ハウジング21をケース11の外側にかぶせて、２つのアース端を導通させる。雄端子13と雌端子23の接触端子は２本の線状が接触するだけで不安定であるために、回路板は電子製品が使用されたりまたは移動されたりしてゆれ動くと、２つの端子の間に接触不安定による信号電送の質への影響が起きやすくなったり、または２つの接触端子の脱落による信号断絶が起きやすくなる。
【考案の開示】
【考案が解決しようとする課題】
【０００４】
上記コネクタの構造上の問題による製造上および使用上の諸欠陥を改善し、また製品製造時の不良率を低減し、製造コストを節減できるようにするため、さらにコネクタの雄端子及び雌端子を安定接合させて、信号をより安定的に電送できるようにするため、本出願人はそれぞれ出願して、超小型マイクロウェーブコネクタを開示する台湾特許公告510609号、同軸マイクロウェーブコネクタの加工方法を開示する公告554589号認可を取得した。
【０００５】
しかし、当該コンセント等はいずれも回路板に溶接した構造となっており、実際に応用する際には回路板に固定する必要があるといった制限を受け、固定長さの導線を有する一組のコネクタが、規格または配置が異なる各種回路板に適用させることはできなかった。
【０００６】
そこで、超小型同軸マイクロウェーブコネクタの実用機能をさらに高めるために、本考案を考案した。そして、本考案の主要な目的は、超小型同軸マイクロウェーブコネクタのコンセントを提供して、コンセントに導線を結合した構造をもたせ、線を延長機能を兼ね備えさせることである。
本考案のもうひとつの目的は、超小型同軸マイクロウェーブコネクタのコンセントを提供して、規格の異なる回路板または回路の異なる配置の必要に合わせることができ、しかも簡単に製造し、組み立てる機能を備えていることである。
【課題を解決するための手段】
【０００７】
前記目的を達成するため、本考案の超小型同軸マイクロウェーブコネクタ用コンセントは、
絶縁体を接合した金属ケースと、雄端子を接合した当該絶縁体を有し、当該雄端子は水平部および前湾曲部を備え、当該絶縁体は板体の側辺から伸びる突起体を有し、当該板体は孔洞と、当該孔洞から外側に伸びる筒体を備え、当該板体および当該突起体の下辺に当該孔洞と連通した案内溝を備えており、当該雄端子の前湾局部は当該孔洞内に差し込み、当該水平部は当該案内溝内に置き、蓋体は当該案内溝の外側に接合し、当該ケースは接続する被覆片体、接続片体および固定片体を有し、当該被覆片体は別の孔洞を備え、当該別の孔洞の外周に別の筒体を備え、当該別の筒体は当該絶縁体の筒体の外周に接合し、当該被覆片体は当該板体の外側に接合し、当該固定片体は当該突起体の外側に接合することからなる。
又、前記雄端子はその水平部の後端に後湾曲部を備え、当該後湾曲部は当該突起体の後端の外側に置くことが好適である。
又、前記前湾曲部はプレス鍛造で成型した中実構造であることが好適である。
又、前記前湾曲部は吸い込み成型した中空構造であることが好適である。
又、前記前湾曲部は被覆成型した中空構造であることが好適である。
又、前記固定片体はその別の側辺に片体を接合することが好適である。
又、前記前湾曲部は溝孔を備えていることが好適である。
又、前記後湾曲部は導線が接合され、前記接合片体は当該導線の外周に接合することが好適である。
又、前記板体の外周は矩形を呈し、当該被覆片体は当該板体の上、下辺および側辺に被覆することが好適である。
さらに、前記板体の外周は円形を呈し、当該被覆片体は当該板体の下辺および側周辺に被覆することが好適である。
【考案の効果】
【０００８】
本考案のコンセントは導線を接合した構造を備えており、コンセントにより幅広い使用方式をもたせているほか、各アセンブリは特別の設計を経ているので、簡単に製造し、組み立てる機能を備えており、従来のコンセントに比べ様々な効果、効能を備えている。
【考案を実施するための最良の形態】
【０００９】
本考案のその他の目的、効果、実施例については、図を参照しながら、以下のように詳細に説明する。
図３，４を参照。本考案の特徴は、コンセント30に導線40を接合した構造をもたせ、回路板に溶接するのではなく、コンセント30にさらに様々な実用機能をもたせていることである。例えば、導線40の別端を回路板上に溶接させて、コンセント30を回路板上の回路とキーオンさせることができる。導線40を介し、コンセント30を従来のコンセントのように回路板の固定位置に接合する必要はなく、しかも可動性を備え、必要に応じて異なる位置においてプラグ50と接合することができる。またコンセント30を接合した導線40とプラグ50を接合した導線60は同一の導線にすることもでき、導線40の両端にそれぞれプラグ50およびコンセント30を備えさせているので、普通のプラグまたはコンセントの延長線として用いることができる。
【００１０】
本考案のコンセント30は、絶縁体32を接合した金属ケース31と、雄端子33を接合した絶縁体32で構成されている。絶縁体32は矩形板体321と、側片から伸びる矩形突起体322と、矩形板体321の中央にある孔洞323と、孔洞323の外側から上方に伸びる筒体324と、矩形板体321および矩形突起体322の下方にある孔洞323と連通した案内溝325と、案内溝325の外側に接合できる蓋体326とを含んでいる。雄端子33は水平部331、前湾曲部332および後湾曲部333とを備えている。前湾曲部332は円柱状を呈しており、その上端は円弧状を呈して雌端子に接合するのに用いる。前湾曲部332は絶縁体32の孔洞323内に差し込み、金属ケース31の内側面とは接触していない。水平部331は案内溝325内に置き、後湾曲部333は突起体322の後端に置き、蓋体326は案内溝325の外側に接合して、雄端子33を絶縁体32と安定接合させるとともに、導線40に、後湾曲部333を接合させるものである。
【００１１】
金属ケース31は連続して湾曲できる第１固定片体311、接続片体312、被覆片体313、314、315、第２固定片体316、接合片体317、318とを備えている。被覆片体315は孔洞310を備えており、孔洞310の外周には筒体319を備え、絶縁体32上端の筒体324の外周を被覆するのに用いるものであり、被覆片体313、314、315はそれぞれ板体321の底面、前側面および上面に接合しており、第２固定片体316は突起体322の上面および２つの側面に接合し、第１固定片体311は突起体322の底面および第２固定片体316の２つの側面の外側に接合しており、接合片体317、318はそれぞれ導線40の外周に接合して、金属ケース31、絶縁体32、雄端子33および導線40を一体結合させるものである。
【００１２】
図５，６を参照。本考案の別の実施例である。コンセント70は、絶縁体72を接合した金属ケース71と、雄端子73を接合した絶縁体72を含んでおり、当該絶縁体72は円形板体721と、板体側片から伸びる矩形突起体722を含んでいる。板体721の中央に、孔洞723と、孔洞723の外側から上方に伸びる筒体724を備えている。板体721および突起体722の下方に、孔洞323と連通した案内溝725を備えるとともに、蓋体726を備えており、板体721の外側面に２つの窪み溝727を備えている。雄端子73は水平部731、前湾曲部732および後湾曲部733とを備え、後湾曲部733は溝孔を備えている。
【００１３】
金属ケース71は連続して湾曲できる第２固定片体711、接続片体712、被覆片体714、第１固定片体715、接合片体716、717とを備えている。被覆片体712は湾曲して円筒状になっていて、孔洞710を形成しており、孔洞710上方の外側に筒体718を備えている。被覆片体712の内側面および外側面にそれぞれ突起ほぞ7121、7122を備えている。本実施例の金属ケース71の１端はキャリヤ・テープに接続されているので、生産ラインの自動化による製造、組立作業に至便である。
【００１４】
本実施例のコンセント70を組み立てる際には、雄端子73の前湾曲部732、水平部731、後湾曲部733をそれぞれ絶縁体72の孔洞723、案内溝725内および突起体722の後端に置くとともに、蓋体726で、案内溝725の外側に接合して、絶縁体72に雄端子73を接合させる。導線80は雄端子73の溝孔734のところに雄端子を接合することができる。金属ケース71の接続片体712、被覆片体714はそれぞれ絶縁体の外周および底面に接合し、突起ほぞ7121を介し絶縁体72の窪み溝727に嵌め合わせ、第２固定片体711は突起ほぞ7122の側辺に接合し、第１固定片体715は突起体712の下辺および第２固定片体の側辺に接合するとともに、結合片体716、717を介し導線80の外周に接合して、金属ケース71、絶縁体72、雄端子73および導線80を一体結合させる。
【００１５】
図７を参照。プラグ50のハウジング51はプラグ70のケース71の外周にかぶせるとともに、雌端子53を雄端子73の外周に接合させて、プラグ50およびコンセント70を電気接続させることができる。絶縁体52はハウジング51および雌端子53と隔絶されている。絶縁体72はケース71および雄端子73と隔絶されている。
【００１６】
図8A、8B、8Cを参照。本考案のコンセントの雄端子は必要に応じて様々な材料および様々な加工方式を採用して製造することができる。
【００１７】
図8Aで示すコンセント74の雄端子741は、材料の厚さが比較的ある銅板を採用して、プレス加工方式で形成した弧状の端部を備えた前湾曲部724である。前湾曲部724は中実構造になっているので、頑丈で、変形または亀裂もあまり生じることはない。
【００１８】
図8Bで示すコンセント75の雄端子751は、銅片の一片において付き杵を利用してプレス鍛造を継続し、徐々に形成した中空の前湾曲部752である。前湾曲部752の上端および周囲の表面を中空にさせているので、割合良好な丸み度と精確度を備え、雌端子と、より安定的に接合し、割合良好な信号電送効果を得ることができる。
【００１９】
図8Cで示すコンセント76の雄端子761は、銅片を採用してプレス鍛造被覆方式で形成した前湾曲部762である。プレス・被覆加工技術はすでにかなり成熟しているので、この方法を利用して雄端子を製造すれば、加工は早く、大量生産やコスト低減を達成することができる。
【００２０】
本考案の図３，５で示すコンセントも、図9A、9B、9C、9Dで示すコンセント81、82、83、84の形態に改めることができ、その雄端子811、821、831、841は導線812、822、832、842と一直線をなし、しかも外周に隔板813、823、833、843とを備えている。隔板813、823、833はそれぞれ孔を備えているため、ねじをその他のボディ板上に固定することができる。隔板843は側辺にねじ山を備えているため、別のナット844をその他のボディ板上に固定することができる。
【００２１】
図10を参照。プラグ91の導線911の長さが十分でなく、プラグ91をコンセントに接合できないときは、両端にそれぞれ雄端子921を備えたアダプタ92を借りて別のプラグ93を接続して、プラグ93を連結した導線931の別端のプラグを再びコンセントに接合させることができる。
【００２２】
図11A、11B、11C、11Dを参照。両辺にそれぞれ雄端子を備えたアダプタ94、95、96、97は様々な実施形態を備えている。
【００２３】
上記したように、本考案技術内容の実施例を利用しているのであれば、いかなる本件を熟知した技術者であっても、いずれも本考案が主張する実用新案登録の範囲に属し、本考案の範囲は本考案の実施例で示したものに限らない。
【図面の簡単な説明】
【００２４】
【図１】従来のコネクタコンセントの断面図である。
【図２】従来のコネクタプラグの断面図である。
【図３】本考案のコネクタの立体図である。
【図４】本考案コンセントのアセンブリの分解立体図である。
【図５】本考案コネクタの別の実施例の立体図である。
【図６】本考案コンセントの別の実施例のアセンブリの分解立体図である。
【図７】従来のプラグと本考案のコンセントの断面図である。
【図８Ａ】本考案３種類の実施例のプラグの断面図および雄端子の立体図である。
【図８Ｂ】本考案３種類の実施例のプラグの断面図および雄端子の立体図である。
【図８Ｃ】本考案３種類の実施例のプラグの断面図および雄端子の立体図である。
【図９Ａ】異なる形態のプラグの立体図である。
【図９Ｂ】異なる形態のプラグの立体図である。
【図９Ｃ】異なる形態のプラグの立体図である。
【図９Ｄ】異なる形態のプラグの立体図である。
【図１０】２つのプラグおよびアダプタの立体図である。
【図１１Ａ】異なる形態のアダプタの立体図である。
【図１１Ｂ】異なる形態のアダプタの立体図である。
【図１１Ｃ】異なる形態のアダプタの立体図である。
【図１１Ｄ】異なる形態のアダプタの立体図である。
【符号の説明】
【００２５】
１０  コンセント
１１  ケース
１２  絶縁体
１２１  突出端子
１３  雄端子
１３１  下端
１３２  上端
１３３  円弧端子
２０，５０，９１，９３  プラグ
２１，５１  ハウジング
２２，５２  絶縁体
２２１  中空部
２３，５３  雌端子
２３１  触辺
３０，７０，７４，７５，７６  コンセント
３１，７１  ケース
３１１，７１５  第１固定片体
３１２，７１３  接続片体
３１３，３１４，３１５，７１２，７１４  被覆片体
３１６，７１１  第２固定片体
３１７，３１８，７１６，７１７  接合片体
３１９，７１８  筒体
３１０，７１０  孔洞
３２，７２  絶縁体
３２１，７２１  板体
３２２，７２２  突起体
３２３，７２３  孔洞
３２４，７２４  筒体
３２５，７２５  案内溝
３２６，７２６  蓋体
３３，７３，７４１，７５１，７６１  雄端子
３３１，７３１  水平部
３３２，７３２，７４２，７５２，７６２  前湾曲部
３３３，７３３  後湾曲部
４０，６０，８０，９１１，９３１  導線
７００  キャリヤ・テープ
７１２１，７１２２  突起ほぞ
７２７  窪み溝
７３４  溝孔
９２，９４，９５，９６，９７  アダプタ
９２１  雄端子
【図１】
0003103794.tif 000003
【図２】
0003103794.tif 000004
【図３】
0003103794.tif 000005
【図４】
0003103794.tif 000006
【図５】
0003103794.tif 000007
【図６】
0003103794.tif 000008
【図７】
0003103794.tif 000009
【図８Ａ】
0003103794.tif 000010
【図８Ｂ】
0003103794.tif 000011
【図８Ｃ】
0003103794.tif 000012
【図９Ａ】
0003103794.tif 000013
【図９Ｂ】
0003103794.tif 000014
【図９Ｃ】
0003103794.tif 000015
【図９Ｄ】
0003103794.tif 000016
【図１０】
0003103794.tif 000017
【図１１Ａ】
0003103794.tif 000018
【図１１Ｂ】
0003103794.tif 000019
【図１１Ｃ】
0003103794.tif 000020
【図１１Ｄ】
0003103794.tif 000021